(57)【特許請求の範囲】
【請求項１】
室内の壁面上部に取付けられ、吸気口から吸込んだ空気を、集塵フィルタ部を介して除塵し、熱交換器部で冷却／加熱した後、吹出口から室内へ供給するように構成した空気調和機において、
前記集塵フィルタ部は、吸気口の風下に配置されると共に、吸気口の下側に配置され、内部に帯状のフィルタを収納するカートリッジと、このカートリッジを脱着するための蓋と、前記フィルタを前記カートリッジより引出すベルトと、このベルトを導くレールと、前記空気調和機の上部に配置され、前記ベルトを巻回するプーリーとを有し、前記レールに沿って前記ベルトにより前記フィルタを前記カートリッジから前記プーリーに導くことを特徴とする空気調和機。
【請求項２】
前記集塵フィルタ部は、前記吸気口の下側に配置されたカートリッジに収納されている帯状のフィルタを、前記空気調和機の上部に配置されたプーリーに巻回されるベルトに着脱可能に掛着されることを特徴とする請求項１記載の空気調和機。
【請求項３】
室内の壁面上部に取付けられ、吸気口から吸込んだ空気を、集塵フィルタ部を介して除塵し、熱交換器部で冷却／加熱した後、吹出口から室内へ供給するように構成した空気調和機において、
前記集塵フィルタ部は、吸気口の風下に配置されると共に、吸気口の下側に配置され、内部に帯状のフィルタを収納するカートリッジと、このカートリッジを脱着するための蓋と、前記フィルタを導くレールとを有し、前記レールに沿って前記フィルタを前記カートリッジから空気調和機の上部に導くことを特徴とする空気調和機。
【請求項４】
前記カートリッジを前記空気調和機から取外した際に、この内部に収納されている前記フィルタを引出した状態で固定させるアームを、前記カートリッジに回動自在に設けたことを特徴とする請求項１又は請求項３に記載の空気調和機。
【請求項５】
前記カートリッジは、吸気口の下側に収納されることを特徴とする請求項１又は請求項３に記載の空気調和機。
【請求項６】
前記カートリッジを着脱するための開閉可能な蓋は、前記吸気口の下側に設けられていることを特徴とする請求項１又は請求項３に記載の空気調和機。
【発明の詳細な説明】
【０００１】
【発明の属する技術分野】
この発明は空気調和機の前面に着脱自在に収納することにより、簡単に清掃及び洗浄、交換可能な集塵フィルタを取付けた空気調和機に関する。
【０００２】
【従来の技術】
今日、一般家庭における空気調和機の普及はめざましくなっている。このとき空気調和機の集塵フィルタは、空気調和機の本体の吸込パネルの吸気口の風下に配置されているものが多い。そして、集塵フィルタが汚れたときの清掃や洗浄、交換等のメンテナンスが必要となった時には、空気調和機の本体の吸込パネルを上方に持上げて開放し、この吸込パネルの風下に配置されている集塵フィルタをとりはずすし清掃や洗浄、交換等の作業をおこなっていた。
【０００３】
【発明が解決しようとする課題】
しかし、前述した空気調和機は、通常室内の壁面に据付板等を介して人の背丈以上の高さに据え付けらている。
【０００４】
このため、上記従来の空気調和機においては、集塵フィルタが汚れたときの清掃や洗浄、交換等のメンテナンスが必要となった時には、脚立等を準備し、これらを踏み台にして空気調和機の本体の吸込パネルを上方に持上げて開放し、この吸込パネルの風下に配置されている集塵フィルタをとりはずすして清掃や洗浄、交換等の作業をおこなっていた。
【０００５】
本発明はこのような問題点を解決するためになされたものであり、巻取ることにより簡単に清掃及び洗浄、交換等が可能な集塵フィルタを設けた空気調和機を提供することを目的とする。
【０００６】
【課題を解決するための手段】
上記課題を解決するため、請求項１に記載の本発明では、室内の壁面上部に取付けられ、吸気口から吸込んだ空気を、集塵フィルタ部を介して除塵し、熱交換器部で冷却／加熱した後、吹出口から室内へ供給するように構成した空気調和機において、
前記集塵フィルタ部は、吸気口の風下に配置されると共に、吸気口の下側に配置され、内部に帯状のフィルタを収納するカートリッジと、このカートリッジを脱着するための蓋と、前記フィルタを前記カートリッジより引出すベルトと、このベルトを導くレールと、前記空気調和機の上部に配置され、前記ベルトを巻回するプーリーとを有し、前記レールに沿って前記ベルトにより前記フィルタを前記カートリッジから前記プーリーに導く構成とする。
【０００７】
請求項２に記載の本発明では、請求項１記載の空気調和機において、集塵フィルタ部は、吸気口の下側に配置されたカートリッジに収納されている帯状のフィルタを、空気調和機の上部に配置されたプーリーに巻回されるベルトに着脱可能に掛着する構成とする。
【０００８】
請求項３に記載の本発明では、室内の壁面上部に取付けられ、吸気口から吸込んだ空気を、集塵フィルタ部を介して除塵し、熱交換器部で冷却／加熱した後、吹出口から室内へ供給するように構成した空気調和機において、
前記集塵フィルタ部は、吸気口の風下に配置されると共に、吸気口の下側に配置され、内部に帯状のフィルタを収納するカートリッジと、このカートリッジを脱着するための蓋と、前記フィルタを導くレールとを有し、前記レールに沿って前記フィルタを前記カートリッジから空気調和機の上部に導く構成とする。
【０００９】
請求項４に記載の本発明では、請求項１又は請求項３に記載の空気調和機において、集塵フィルタ部は、カートリッジを空気調和機から取外した際に、この内部に収納されているフィルタを引出した状態で固定させるアームをカートリッジに回動自在に設けた構成とする。
【００１０】
請求項５に記載の本発明では、請求項１又は請求項３に記載の空気調和機において、カートリッジは、吸気口の下側に収納される構成とする。
【００１１】
請求項６に記載の本発明では、請求項１又は請求項３に記載の空気調和機において、カートリッジを着脱するための開閉可能な蓋は、吸気口の下側に設けられている構成とする。
【００１２】
【発明の実施の形態】
以下、本発明の第一の実施例を図１ないし図５を参照しながら説明する。
図１は空気調和機１０の正面図であり、図２、図３はその断面図である。また、図４は本実施例の説明図であり、図５は本実施例のフィルタを清掃、洗浄する状態の説明図である。
【００１３】
空気調和機１０は、この空気調和機１０の略全面を覆っている吸込パネル１０１、この吸込パネル１０１に設けられ、空気調和をする室内空気を吸気する吸気口１１、そして、この吸気口１１の風下に近接して配置されている帯状のフィルタ１４を有している。また、空気調和機１０の上部に配置され、後述のベルト１４Ａを巻回する一対のプーリー１４Ｃ、このプーリー１４Ｃは軸１４Ｄに軸支されており軸１４Ｄとともに回動する。そして、この軸１４Ｄを回動する駆動モータ１４Ｅと、フィルタ１４を掛着し上部に配置されたプーリー１４Ｃに巻回される一対のベルト１４Ａを有している。さらにベルト１４Ａを導く一対のレール１４Ｂ、フィルタ１４を巻取り収納する着脱自在のカートリッジ１５を備えている。また、このカートリッジ１５を着脱するため吸気口１１の下側に設けられている開閉可能な蓋１１Ｃ、フィルタ１４の風下側に配置されて吸気された室内空気を清浄化する清浄化フィルタ１６、空気調和された空気を室内に吐出する吐出口１７、冷媒と吸気した空気とを熱交換させる熱交換器１８、吸気口１１から室内空気を吸気して熱交換器１８を通過させ、その後吐出口１７からこの空気を室内に送風するクロスフローファン２０等を備えた構成としている。
【００１４】
吸込パネル１０１は空気調和機１０の上面のパネルに設けられている上面吸込パネル１０Ａと、この空気調和機１０の正面のパネルに設けられている正面吸込パネル１０Ｂにより構成されている。
【００１５】
吸気口１１は、空気調和機１０の上面のパネルに設けられている上面吸込パネル１０Ａに形成された上面吸気口１１Ａと、この空気調和機１０の正面のパネルに設けられている正面吸込パネル１０Ｂに形成された正面吸気口１１Ｂにより構成されている。
【００１６】
帯状のフィルタ１４は、空気中に浮遊する比較的大きな埃等を除去するために吸気口１１の風下に近接して配置されている。そして、清掃、洗浄及び交換が可能な可撓性のあるプラスチック等により形成された網目状のシート部材と、この網目状のシート部材の全周をやはり可撓性のある薄い樹脂などで縁取りをした構成としている。さらに、このフィルタ１４は、正面吸気口１１Ｂの下側に設けられ、正面吸込パネル１０Ｂの一部を構成している蓋１１Ｃの奥に格納されているカートリッジ１５に巻取り収納可能である。
【００１７】
そしてフィルタ１４は、熱交換器１８の形状に合わせる為、熱交換器１８Ａに相当する位置では直線的であり、上部の熱交換器１８Ｂに相当する位置では熱交換器１８Ｂの傾斜に対応させるために湾曲して形成される。
【００１８】
レール１８Ｂの形状は、フィルタ１４を前述のような形状に形成するため、熱交換器１８Ａに相当する位置では直線的であり、上部の熱交換器１８Ｂに相当する位置では熱交換器１８Ｂの傾斜に対応させるために湾曲して構成されている。
【００１９】
また、このレール１８Ｂに導かれるベルト１４Ａは、レール１８Ｂの形状に沿って空気調和機１０の上部に配置されているプーリー１４Ｃまで導かれる。
【００２０】
カートリッジ１５は図５に示すようにフィルタ１４と、このフィルタ１４の先端部が突出するようにして収納可能な中空筒１５Ａと、この中空筒１５Ａの略中心に設けられ、フィルタ１４を巻取るための中軸１５Ｂ（図示せず）を設けている。そして、この中軸１５Ｂを中空筒１５Ａの両端より支持している一対のキャップ１５Ｃ、及びフィルタ１４を自動的に巻取るためのバネ１５Ｄ（図示せず）などの巻取機構を備えた構成としている。そして、このフィルタ１４を清掃、洗浄時にフィルタ１４を引出して固定するための回動する一対のアーム１５Ｅを設けた構成としている。
【００２１】
このカートリッジ１５は、前述したように空気調和機１０の正面吸気口１１Ｂの下側に設けられ、正面吸込パネル１０Ｂの一部を構成している蓋１１Ｃの奥に格納されている。
【００２２】
そして、空気調和機１０にフィルタ１４を取付けるには、まず、先端部が突出したフィルタ１４を中空筒１５Ａの内部に巻取り収納しているカートリッジ１５を準備する。そして、空気調和機１０の正面吸気口１１Ｂの下側に設けられ、正面吸込パネル１０Ｂの一部を構成している開閉可能な蓋１１Ｃを下方に開放し、蓋１１Ｃの奥に配置されているレール１４Ｂに導かれているベルト１４Ａの端部に、先に準備しておいたカートリッジ１５の中空筒１５Ａの内部に収納されているフィルタ１４の突出した先端部の両側を掛着する。
【００２３】
そして、空気調和機１０の上部に配置されている駆動モータ１４Ｅを軸１４Ｄが時計方向に回動するように駆動させる。このようにすることで、空気調和機１０の上部に配置され、ベルト１４Ａを巻回するプーリー１４Ｃが時計方向に回動を開始し、このプーリー１４Ｃに巻回されるベルト１４Ａが徐々にプーリー１４Ｃに巻取られる。そして、ベルト１４Ａの端部に掛着されているフィルタ１４はこのベルト１４Ａに案内され、レール１４Ｂに導かれて空気調和機１０の上部に配置されているプーリー１４Ｃまで案内される。そして、ベルト１４Ａの先端に掛着されているフィルタ１４の先端部がプーリー１４Ｃに到達した時に駆動モータ１４Ｅは駆動を停止し、プーリー１４Ｃも停止する。そしてフィルタ１４の取付けが完了する。
【００２４】
このように、フィルタ１４の取付けは、空気調和機１０の正面に設けられている正面吸気口１１Ｂの下側に設けられ、正面吸込パネル１０Ｂの一部を構成している開閉可能な蓋１１Ｃを下方に開放し、この蓋１１Ｃの奥に配置されているレール１４Ｂに導かれているベルト１４Ａの端部に、カートリッジ１５の中空筒１５Ａの内部に収納されているフィルタ１４の先端部の両側を掛着するだけで簡単に取付けが可能である。
【００２５】
このようにしてフィルタ１４の取付けが完了した後、開放されていた蓋１１Ｃを閉じて空気調和機１０が使用可能となる。
【００２６】
また、フィルタ１４を空気調和機１０から取外すには、まず、空気調和機１０の上部に配置されている駆動モータ１４Ｅを軸１４Ｄに備えられているプーリー１４Ｃが反時計方向に回動するように駆動させる。このようにすることで、空気調和機１０の上部に配置され、前記ベルト１４Ａを巻回するプーリー１４Ｃが反時計方向に回動を開始し、このプーリー１４Ｃに巻取られているベルト１４Ａがプーリー１４Ｃより繰り出される。そして、ベルト１４Ａの端部に掛着されているフィルタ１４はこのベルト１４Ａに案内され、レール１４Ｂに導かれて正面吸気口１１Ｂの下側に設けられ、正面吸込パネル１０Ｂの一部を構成している蓋１１Ｃの奥に格納されているカートリッジ１５の中空筒１５Ａに向かって移動する。するとこのカートリッジ１５に内蔵されているバネ１５Ｄ（図示せず）の力により中空筒１５Ａの内部にある中軸１５Ｂ（図示せず）にフィルタ１４が徐々に巻取られてフィルタ１４は先端部を突出して中空筒１５Ａの内部に収納される。
【００２７】
このようにして、フィルタ１４が先端部を突出してカートリッジ１５の中空筒１５Ａの内部に略収納されると略同時に空気調和機１０の上部に配置されている駆動モータ１４Ｄは駆動を停止し、フィルタ１４は先端部を突出して中空筒１５Ａの内部への収納が完了する。
【００２８】
フィルタ１４が先端部を突出して中空筒１５Ａの内部への収納が完了した後、閉じられていた蓋１１Ｃを下方に開放し、この蓋１１Ｃの奥に配置され、フィルタ１４の先端部の両側を掛着しているベルト１４Ａの端部からフィルタ１４の先端部を外してカートリッジ１５とベルト１４Ａとを離脱する。
【００２９】
このようにすることでカートリッジ１５の中空筒１５Ａに先端部を突出し、内部に収納されたフィルタ１４はカートリッジ１５ごと空気調和機１０より取外すことが可能である。
【００３０】
前述の第一の実施例図４の説明図においては、ベルト１４Ａの端部の掛着する部分を凸の爪形状とし、これに掛着されるフィルタ１４の先端部の両側の部分は孔となっているが、ベルト１４Ａの端部の掛着する部分を孔とし、これに掛着されるフィルタ１４の先端部の両側の部分を凸の爪形状となっても同様の効果である。
【００３１】
つぎに、先端部が突出したフィルタ１４を中空筒１５Ａの内部に収納したカートリッジ１５を取外した後に、この先端部が突出したフィルタ１４を清掃、洗浄する方法を説明する。
【００３２】
まず、カートリッジ１５の中空筒１５Ａの内部に先端部を突出して収納されたフィルタ１４は、このフィルタ１４の突出している先端部を摘まんで中空筒１５Ａの内部よりフィルタ１４を引出し、図５に示されているように中空筒１５Ａに設けられている回動する一対のアーム１５Ｅにより、引出されたフィルタ１４の先端部を係止する。
【００３３】
このようにすることで、引出されたフィルタ１４は帯状の平面になり、清掃及び洗浄が可能となる。清掃及び洗浄後、引き出されたフィルタ１４を元のように中空筒１５Ａに収納するにはフィルタ１４の先端部を係止している一対のアーム１５Ｅを回動させて中空筒１５Ａの表面に係着する。フィルタ１４の先端部を係止している一対のアーム１５Ｅが取り除かれたことによりフィルタ１４はバネ１５Ｄ（図示せず）の働きにより先端部を突出して再び中空筒１５Ａの中軸１５Ｂ（図示せず）に巻取られ内部に収納される。
【００３４】
このようにしてフィルタ１４は着脱自在のカートリッジ１５の中空筒１５Ａに収納されることより繰返しての使用が可能であるため効率よく使用できる。
【００３５】
次に、本発明の第二の実施例を図６ないし図１０を参照しながら説明する。
【００３６】
図６ないし図１０において、符号１０、１０１、１１、１６、１７、１８、２０、及び、これらに関係する部分１０Ａ、１０Ｂ、１１Ａ、１１Ｂ、１１Ｃ、１８Ａ、１８Ｂ、１８Ｃは前述の第一の実施例と同一の構成を有する部分であり、その詳細な説明は省略する。
【００３７】
図６は空気調和機１０の正面図であり、図７、図８はその断面図である。また、図９は本実施例の説明図であり、図１０は本実施例のフィルタを清掃、洗浄する状態の説明図である。
【００３８】
空気調和機１０は、この空気調和機１０の略全面を覆っている吸込パネル１０１、この吸込パネル１０１に設けられ、空気調和をする室内空気を吸気する吸気口１１、そして、この吸気口１１の風下に近接して配置されている帯状のフィルタ１１４、フィルタ１１４を導く一対のレール１１４Ａ、このレール１１４Ａにはフィルタ１１４の縁を摺動させる溝１１４Ｂが設けてある。そして、フィルタ１１４を巻取りこのフィルタ１１４を収納する着脱自在のカートリッジ１１５を備えている。また、このカートリッジ１１５を着脱するため吸気口１１の下側に設けられている開閉可能な蓋１１Ｃ、フィルタ１１４の風下側に配置されて吸気された室内空気を清浄化する清浄化フィルタ１６、空気調和された空気を室内に吐出する吐出口１７、冷媒と吸気した空気とを熱交換させる熱交換器１８、吸気口１１から室内空気を吸気して熱交換器１８を通過させ、その後吐出口１７からこの空気を室内に送風するクロスフローファン２０等を備えた構成としている。
【００３９】
帯状のフィルタ１１４は、空気中に浮遊する比較的大きな埃等を除去するために吸気口１１の風下に近接して配置されている。そして、清掃、洗浄及び交換が可能な可撓性のあるプラスチック等により形成された網目状のシート部材と、この網目状のシート部材の全周をやはり可撓性のある薄い樹脂などで縁取りをした構成としている。
【００４０】
さらに、このフィルタ１１４は、正面吸気口１１Ｂの下側に設けられ、正面吸込パネル１０Ｂの一部を構成している蓋１１Ｃの奥に格納されているカートリッジ１１５に巻取り収納可能である。
【００４１】
そしてフィルタ１１４は、熱交換器１８の形状に合わせる為、熱交換器１８Ａに相当する位置では直線的であり、上部の熱交換器１８Ｂに相当する位置では熱交換器１８Ｂの傾斜に対応させるために湾曲して形成される。
【００４２】
レール１１８Ｂの形状は、フィルタ１１４を前述のような形状に形成するため、熱交換器１８Ａに相当する位置では直線的であり、上部の熱交換器１８Ｂに相当する位置では熱交換器１８Ｂの傾斜に対応させるために湾曲して構成されている。
【００４３】
カートリッジ１１５は、図１０に示すようにフィルタ１１４と、このフィルタ１１４の先端部が突出するようにして収納する中空筒１１５Ａと、この中空筒１１５Ａの略中心に設けられ、フィルタ１１４を巻取るための中軸１１５Ｂ（図示せず）、この中軸１１５Ｂを中空筒１１５Ａの両端より支持して手動により回転する一対のキャップ１１５Ｃなどフィルタ１１４を巻取るための巻取機構を備えた構成としている。そして、このフィルタ１１４を清掃、洗浄時にフィルタ１１４を引出して固定するための回動する一対のアーム１１５Ｅを設けた構成としている。
【００４４】
このカートリッジ１１５は、前述したように空気調和機１０の正面吸気口１１Ｂの下側に設けられ、正面吸込パネル１０Ｂの一部を構成している蓋１１Ｃの奥に格納されている。
【００４５】
そして、空気調和機１０にフィルタ１１４を取付けるには、まず、先端部が突出したフィルタ１１４を中空筒１１５Ａの内部に巻取り収納しているカートリッジ１１５を準備する。そして、空気調和機１０の正面吸気口１１Ｂの下側に設けられ、正面吸込パネル１０Ｂの一部を構成している開閉可能な蓋１１Ｃを下方に開放し、蓋１１Ｃの奥に配置されているレール１１４Ａの溝１１４Ｂの先端に、先に準備しておいたカートリッジ１１５の中空筒１１５Ａの内部に収納されているフィルタ１１４の突出した先端部の両側を係合する。
【００４６】
そして、一対のレール１１４Ａの溝１１４Ｂの先端に係合されたフィルタ１１４は、中空筒１１５Ａの両端に設けられている一対のキャップ１１５Ｃを時計方向に回転させることにより、中空筒１１５Ａの内部より繰り出されてレール１１４Ａに導かれ、空気調和機１０の上部まで到達する。このようにしてフィルタ１１４の取付けが完了する。
【００４７】
このように、フィルタ１１４の取付けは空気調和機１０の正面に設けられている正面吸気口１１Ｂの下側に設けられ、正面吸込パネル１０Ｂの一部を構成している開閉可能な蓋１１Ｃを下方に開放し、この蓋１１Ｃの奥に配置されている一対のレール１１４Ａの溝１１４Ｂに先端部を係合し、中空筒１１５Ａの両端に設けられている一対のキャップ１１５Ｃを時計方向に回転するだけで簡単にフィルタ１１４の取付けが可能である。
【００４８】
このようにしてフィルタ１１４の取付けが完了した後、開放されていた蓋１１Ｃを閉じて空気調和機１０が使用可能となる。
【００４９】
また、フィルタ１１４を空気調和機１０から取外すには、まず、空気調和機１０の正面に設けられている正面吸気口１１Ｂの下側に設けられ、正面吸込パネル１０Ｂの一部を構成している開閉可能な蓋１１Ｃを下方に開放し、この蓋１１Ｃの奥に収納されているカートリッジ１１５の中空筒１１５Ａの両側に設けられているキャップ１１５Ｃを反時計方向に回転させる。このようにすることでレール１１４Ａに導かれてフィルタ１１４は先端部を突出させてカートリッジ１１５の中空筒１１５Ａの中軸１１５Ｂ（図示せず）に巻取り内部に収納が完了する。
【００５０】
このようにすることでカートリッジ１１５の中空筒１１５Ａに先端部を突出し、内部に収納されたフィルタ１１４はカートリッジ１１５ごと空気調和機１０より取外すことが可能である。
【００５１】
つぎに、先端部が突出したフィルタ１１４を中空筒１１５Ａの内部に収納したカートリッジ１１５を取外した後に、この先端部が突出したフィルタ１１４を清掃、洗浄する方法を説明する。
【００５２】
まず、カートリッジ１１５の中空筒１１５Ａの内部に先端部を突出して収納されたフィルタ１１４は、このフィルタ１１４の突出している先端部を摘まんで中空筒１１５Ａの内部より引出し、図１０に示されているように中空筒１１５Ａに設けられている回動する一対のアーム１１５Ｅにより引出されたフィルタ１１４の端部を係止する。
【００５３】
このようにすることで、引出されたフィルタ１１４は帯状の平面になり、清掃及び洗浄が可能となる。清掃及び洗浄後、引出されたフィルタ１１４を元のように中空筒１１５Ａに収納するにはフィルタ１１４の先端を係止している一対のアーム１１５Ｅを回動させて中空筒１１５Ａの表面に係着する。そして、カートリッジ１１５の中空筒１１５Ａの両側に設けられているキャップ１１５Ｃを反時計方向に回転させる。このようにすることでフィルタ１１４は先端部を突出させてカートリッジ１１５の中空筒１１５Ａの中軸１１５Ｂ（図示せず）に巻取られ内部に収納が完了する。
【００５４】
このようにしてフィルタ１１４は着脱自在のカートリッジ１１５の中空筒１１５Ａに収納されることより繰返しての使用が可能であるため効率よく使用できる。
【００５５】
前述の二つの実施例では、フィルタ１４、１１４が清掃及び洗浄が可能で繰り返し使用できるようになっているが、フィルタ１４、１１４の材質を紙のような材質にしてカートリッジ１５、１１５をロール状にして、フィルタ１４、１１４の使用後汚れた部分をカットして使い捨てのように構成してもよい。
【００５６】
【発明の効果】
以上説明したように請求項１に記載の本発明によれば、室内の壁面上部に取付けられ、吸気口から吸込んだ空気を、集塵フィルタ部を介して除塵し、熱交換器部で冷却／加熱した後、吹出口から室内へ供給するように構成した空気調和機において、
前記集塵フィルタ部は、吸気口の風下に配置されると共に、吸気口の下側に配置され、内部に帯状のフィルタを収納するカートリッジと、このカートリッジを脱着するための蓋と、前記フィルタを前記カートリッジより引出すベルトと、このベルトを導くレールと、前記空気調和機の上部に配置され、前記ベルトを巻回するプーリーとを有し、前記レールに沿って前記ベルトにより前記フィルタを前記カートリッジから前記プーリーに導く構成としたことにより、フィルタの清掃及び洗浄、交換時など、このフィルタの取付け、取外しが簡単に効率よく行うことが可能である。
【００５７】
請求項２に記載の本発明によれば、集塵フィルタ部は、吸気口の下側に配置されたカートリッジに収納されている帯状のフィルタを、空気調和機の上部に配置されたプーリーに巻回されるベルトに着脱可能に掛着される構成としたことにより、フィルタの清掃及び洗浄、交換時など、このフィルタの取付け、取外しが簡単に効率よく行うことが可能である。
【００５８】
請求項３に記載の本発明によれば、室内の壁面上部に取付けられ、吸気口から吸込んだ空気を、集塵フィルタ部を介して除塵し、熱交換器部で冷却／加熱した後、吹出口から室内へ供給するように構成した空気調和機において、
前記集塵フィルタ部は、吸気口の風下に配置されると共に、吸気口の下側に配置され、内部に帯状のフィルタを収納するカートリッジと、このカートリッジを脱着するための蓋と、前記フィルタを導くレールとを有し、前記レールに沿って前記フィルタを前記カートリッジから空気調和機の上部に導く構成としたことにより、より低コストでフィルタの清掃及び洗浄、交換時など、このフィルタの取付け、取外しが簡単に効率よく行うことが可能である。
【００５９】
請求項４に記載の本発明によれば、集塵フィルタ部は、カートリッジを空気調和機から取外した際に、この内部に収納されているフィルタを引出した状態で固定させるアームをカートリッジに回動自在に設けた構成としたことにより、フィルタが帯状の平面を保つことが可能となり清掃及び洗浄などを効率よくおこなうことができる。
【００６０】
請求項５に記載の本発明によれば、カートリッジは、吸気口の下側に収納される構成としたことにより、フィルタの清掃及び洗浄、交換時など、このフィルタの取付け、取外しが簡単に効率よく行うことが可能である。
【００６１】
請求項６に記載の本発明によれば、カートリッジを着脱するための開閉可能な蓋は、吸気口の下側に設けられている構成としたことにより、外観上違和感がなく低い位置でフィルタの清掃及び洗浄、交換時など、このフィルタの取付け、取外しが簡単に効率よく行うことが可能である。
【図面の簡単な説明】
【図１】本発明の第一の実施例を示す空気調和機の正面概略図である。
【図２】図１の断面を示す説明図である。
【図３】本発明の第一の実施例を示す空気調和機の蓋を開いたときの状態を示す断面概略を示す説明図である。
【図４】本発明の第一の実施例を示す空気調和機のフィルタを取付け、取外しの概略を示す説明図である。
【図５】本発明の第一の実施例を示すカートリッジのフィルタを引出し、アームにて帯状に固定した概略を示す説明図である。
【図６】本発明の第一の実施例を示す空気調和機の正面概略図である。
【図７】図１の断面を示す説明図である。
【図８】本発明の第一の実施例を示す空気調和機の蓋を開いたときの状態を示す断面概略を示す説明図である。
【図９】本発明の第一の実施例を示す空気調和機のフィルタを取付け、取外しの概略を示す説明図である。
【図１０】本発明の第一の実施例を示すカートリッジのフィルタを引出し、アームにて帯状に固定した概略を示す説明図である。
【符号の説明】
１０      空気調和機
１０１    吸込パネル
１０Ａ    上面吸込パネル
１０Ｂ    正面吸込パネル
１１      吸気口
１１Ａ    上面吸気口
１１Ｂ    正面吸気口
１１Ｃ    蓋
１４      フィルタ
１４Ａ    ベルト
１４Ｂ    レール
１４Ｃ    プーリー
１４Ｄ    軸
１４Ｅ    駆動モータ
１５      カートリッジ
１５Ａ    中空筒
１５Ｃ    キャップ
１５Ｅ    アーム
１６      清浄化フィルター
１７      吐出口
１８（１８Ａ、１８Ｂ、１８Ｃ）    室内熱交換器
２０      クロスフローファン
１１４    フィルタ
１１４Ａ  レール
１１４Ｂ  溝
１１５    カートリッジ
１１５Ａ  中空筒
１１５Ｃ  キャップ
１１５Ｅ  アーム
【図１】
0004270705.tif 000002
【図２】
0004270705.tif 000003
【図３】
0004270705.tif 000004
【図４】
0004270705.tif 000005
【図５】
0004270705.tif 000006
【図６】
0004270705.tif 000007
【図７】
0004270705.tif 000008
【図８】
0004270705.tif 000009
【図９】
0004270705.tif 000010
【図１０】
0004270705.tif 000011